(57)【要約】【課題】一般的な防湿・防水型の照明器具の固着した保護カバーの取り外しの際、破損の危険を回避し、安全に回動、又は操作できる治具を提供する事である。【解決手段】略くの字型の実質作業部と、実質作業部に連結された持ち手部から作業部が構成され、該作業部は主作業部と従作業部である。主作業部、従作業部及びサイズ調整ロッドとで構成される治具である。主作業部と従作業部は夫々筒状であり、サイズ調整ロッドはこの主作業部と従作業部の内部を貫通し、主作業部全長の数倍の長さを持ち、一部には長さ調整の為の刻み歯を設ける。主作業部には刻み歯に適合した逆行防止部を設ける。サイズ調整ロッドは柔軟性を有した材質からなる。【選択図】  図１
2015182201.tif 000002
【特許請求の範囲】
【請求項１】
両端に開口部を有した筒形状の主及び従の作業部と、主及び従の作業部を照明器具に装着するためのサイズ調整用ロッドから構成され、サイズ調整用ロッドの後端に従の作業部の開口部の幅よりも大きい幅の係止部を設け、サイズ調整用ロッドの前端が主の作業部の両開口部を経由して貫通し、サイズ調整用ロッドに歯形状の長さ調整部を設け、長さ調整部の形状に適合する逆行防止部を主の作業部の開口部に設けたことを特徴とする照明器具カバーの取り外し治具。
【請求項２】
主及び従の作業部は略く字形状であることを特徴とする、請求項１記載の照明器具カバーの取り外し治具。
【請求項３】
請求項１または２に記載の治具２個から構成されることを特徴とする、照明器具カバーの取り外し治具。
【発明の詳細な説明】
【技術分野】
【０００１】
本発明は際経年によりパッキンが固着し回転不能に成った照明器具カバーの取り外し治具に関する。
【背景技術】
【０００２】
一般に用いられる防湿・防水型照明器具のランプ保護カバーは、防水の為に器具の機能部と付随するカバー間に装着されたゴム質のパッキンが経年の為劣化及び変質をおこし、ランプ取替え等の際カバーが密着し取り外しが困難と成る事が有る。
【０００３】
その際従来ではカバーに衝撃を与えるか、カバーとパッキンの隙間にナイフ等で切れ込みを与える等の方法でしか解決する方法な無く、カバーの多くはガラス製の物が多く強引に作業すると機能部もカバーも壊れ、負傷する危険性も有る。
これらの課題を解決するものとして、現在ではその用途に適する物は無く、しいて言えば缶の蓋開け具が有るが、これらはビン又は缶等の蓋を開ける物である。（特許文献１及び２参照）。しかし、これらは照明器具カバーの取り外しには適さない。
【先行技術文献】
【特許文献】
【０００４】
【特許文献１】特開２０１３−５２９０２号公報
【特許文献２】特開２０００−２８１１８５公報
【発明の概要】
【発明が解決しようとする課題】
【０００５】
前述した様に玄関や浴室等に設置される防湿・防水型照明器具は防水又は防湿の機能を果たす為にカバーと機能部の間にゴム質のパッキンが設置されている。そのパッキンが経年の為変質し固着により取り外しが困難となる場合が有る。専門技術者でも、一般の人でも、そのカバーを取り外す作業は多くの場面で見受けられるが、従来ではその取り外しを容易にする道具・工具は存在せず、パッキンとカバーの間にナイフを挿入し切る等の危険な作業を余儀なくされている。
しかし照明器具は一般の場合天井等の高所に取付けられている場合が多くその場合脚立などに上り不安定な体制での作業となり作業に不慣れな人には無理な作業で有るばかりか、カバー等はガラス製の物が多く強引に取り外そうとすると壊れて負傷する危険性も有る。
【課題を解決するための手段】
【０００６】
前述の課題を解決するために、本発明に係る照明器具カバーの取り外し治具は以下の手段を有する。
第１の手段として、両端に開口部を有した筒形状の主及び従の作業部と、主及び従の作業部を照明器具に装着するためのサイズ調整用ロッドから構成され、サイズ調整用ロッドの後端に従の作業部の開口部の幅よりも大きい幅の係止部を設け、サイズ調整用ロッドの前端が主の作業部の両開口部を経由して貫通し、サイズ調整用ロッドに歯形状の長さ調整部を設け、長さ調整部の形状に適合する逆行防止部を主の作業部の開口部に設けたことを特徴とする。
第２の手段として、主及び従の作業部は略(く)字形状であることを特徴とする。
第３の手段として、第１または第２の手段に記載の治具２個から構成されることを特徴とする。
【発明の効果】
【０００７】
本発明の照明器具カバーの取り外し治具によると、該治具の作業部、すなわち力を付加する部位である主作業部及び従作業部で照明器具機能部又はカバーに装着し、サイズ調整用ロッドによりきつく固定保持し持ち手部を片手で握り照明器具機能部及びカバーの双方を互いに逆転し、照明器具カバーの取り外しが可能となる。
【０００８】
加えて、サイズ調整ロッドには照明器具によりサイズが異なる場合でもサイズに適合できる様固定点を変化させる為に刻み歯形状の長さ調整部が施され、持ち手部開口部に施された長さ調整部の形状に適合する逆行防止部である楔状ストッパーにより逆行を防止することが出来る。又前述の様に２つの該治具を別々に取付け安定させ放置する必要が有る、その場合楔状ストッパーによりそれを可能とする事が出来る。よって簡単に照明器具カバーを回動するきっかけを促し従来どおり手で照明器具カバーを取り外す事が容易となる。
【図面の簡単な説明】
【０００９】
【図１】本発明の請求項１または２に係る照明器具カバーの取り外し治具の平面図である。
【図２】本発明の請求項１または２に係る照明器具カバーの取り外し治具の正面図（矢視Ａ−Ａ図）である。
【図３】本発明の請求項１または２に係る照明器具カバーの取り外し治具の平面図の断面図であり、主及び従作業部それぞれの実質作業部及び持ち手部、サイズ調整用ロッドの詳細を表す図である。
【図４】本発明の請求項１または２に係る照明器具カバーの取り外し治具の使用方法を表す図であり、該治具を照明器具機能部に装着した状態を表す図である。
【図５】本発明の請求項１または２に係る照明器具カバーの取り外し治具の使用方法を表す図であり、該治具を照明器具カバーに装着した状態を表す図である。
【図６】本発明の請求項３に係る照明器具カバーの取り外し治具の使用方法を表す図であり、該治具により照明器具カバーを取り外す状態を表す図である。
【発明を実施するための形態】
【００１０】
以下本発明の照明器具カバーの取り外し治具について、実施するための形態を図面により詳細に説明する。
なお、特許請求の範囲は以下の説明に限定されるものではない。
最初に該治具の構成を図１〜３により説明する。
図１は本発明の請求項１または２に係る該治具の平面図であり、該治具１は主作業部２及び従作業部３及びサイズ調整ロッド４から構成される。
【００１１】
主作業部２及び従作業部３及びサイズ調整ロッド４の構成を、図１により説明する。
照明器具に装着される主作業部２と従作業部３を説明する。主作業部２及び従作業部３は同形で実質作業部２Ａ（３Ａ）と持ち手部２Ｂ（３Ｂ）はいずれも連続した固体でサイズ調整用ロッド４を貫通させる為に空洞を有した筒形状である。主作業部２及び従作業部３はいずれも実質作業部２Ａ（３Ａ）が平面的に略（く）の字状に屈曲し、両端部はサイズ調整用ロッド４を貫通させる為に開口しており、実質作業部開口部Ｊ（Ｈ）、持ち手部開口部Ｆ(Ｇ)を有している。
平面的特長として主作業部２と従作業部３共に実質作業部２Ａ（３Ａ）は平面的に略（く）の字に屈曲し双方とも実質作業部２Ａ（３Ａ）にはゴム質帯状の養生パッキン５が付帯されている。
【００１２】
図２は本発明の請求項１または２に係る該治具の正面図（矢視Ａ−Ａ図）である。２Ａ及び３Ａは該治具１の実質作業部であり内部は空洞でサイズ調整用ロッド４を貫通させる構造であり、側面すなわち照明器具に接触する部分にゴム質帯状の養生パッキン５が付帯されている。
実質作業部２Ａ、実質作業部３Ａ及びサイズ調整用ロッド４の断面形状は四角あるいは円形を呈することがあるが、作業性には無関係であるので限定はしない。
なお、主作業部２及び従作業部３及びサイズ調整ロッド４は柔軟性を有する材質から構成することが好ましい。
【００１３】
図３は本発明の請求項１または２に係る該治具の平面図の断面図であり、主及び従作業部それぞれの実質作業部及び持ち手部、サイズ調整用ロッドの詳細を表す図である。
サイズ調整ロッド４は逆行防止の為に刻み歯形状の長さ調整部Ｄが刻まれ、サイズ調整用ロッド前端部Ｅが主作業部２の内部を貫通し持ち手部２Ｂの持ち手部開口部Ｆより飛び出している。
主作業部２と従作業部３の夫々の両端部は開口部と成っており、持ち手部開口部Ｇ、実質作業部開口部Ｈ、実質作業部開口部Ｊ、持ち手部開口部Ｆを形成する。サイズ調整用ロッド４を貫通できるように成っているが、主作業部２の持ち手部２Ｂの持ち手部開口部Ｆはサイズ調整用ロッド４の長さ調整部Ｄが引っ掛かるように他の開口部とは異なり、長さ調整部Ｄの形状に適合する逆行防止部である楔状ストッパーＦ−１を呈し強化されている。
サイズ調整用ロッド前端部Ｅの形状は長さ調整部Ｄが無く作業者が掴む為滑り止めが施されている。又反対側のサイズ調整用ロッド後端部Ｉはサイズ調整用ロッド４の一般部の大きさとは異なり、実質作業部開口部Ｈの幅よりも大きい幅のサイズ調整用ロッド係止部Ｋを設ける。
サイズ調整用ロッド係止部Ｋの全体の幅は、実質作業部開口部Ｈの幅の２倍とするのが好ましい。
これにより、サイズ調整用ロッド後端部Ｉは実質作業部開口部Ｈで引っ掛かり抜けない構造となる。
【００１４】
次に図４〜６により該治具の使用方法を説明する。
図４は、本発明の請求項１または２に係る該治具を照明器具機能部に装着した状態を表す図である。照明器具１０は照明器具機能部１０Ａ、防水用パッキン１０Ｂ及び照明器具カバー１０Ｃから構成される。
先ず作業者は従作業部３の持ち手部３Ｂの端部に施された持ち手部開口部Ｇからサイズ調整用ロッド４前端部Ｅを挿入し送り込み従作業部３の実質作業部開口部Ｈより引き出し、その引き出されたサイズ調整用ロッド４前端部Ｅを今度は主作業部２の実質作業部２Ａの実質作業部開口部Ｊより挿入し主作業部２の内部を貫通し主作業部２の持ち手部開口部Ｆから飛び出したサイズ調整用ロッド４前端部Ｅを掴みさらに引き出す。その際該治具１において従作業部３とサイズ調整用ロッド４と主作業部２は連結し弧を描く事に成る。そして予め取付ける対象物である照明器具機能部１０Ａの大きさを把握し照明器具機能部１０Ａより少し大きめに保ち、照明器具機能部１０Ａにあてがい作業者は従作業部３の持ち手部３Ｂを片手で掴みもう片方の手で再度サイズ調整用ロッド４前端部Ｅを強く引き出しサイズ調整用ロッド４に施された長さ調整部Ｄを主作業部２の持ち手部開口部Ｆに施された楔状ストッパーＦ−１に引っ掛けることによりサイズ調整用ロッド４は逆行せず締め付けたまま照明器具機能部１０Ａに装着される。図には示していないが、片方の手で照明器具カバー１０Ｃを固定し、もう片方の手で持ち手部２Ｂ及び３Ｂを同時に掴み回転させる。これにより、照明器具機能部１０Ａ及び防水用パッキン１０Ｂが照明器具カバー１０Ｃから分離される。よって照明器具カバー１０Ｃの取り外しが可能となる。
【００１５】
図５は、本発明の請求項１または２に係る該治具を照明器具カバーに装着した状態を表す図である。段落００１４に記載の方法と同じようにして、該治具１を照明器具カバー１０Ｃに装着する。
図には示していないが、片方の手で照明器具カバー１０Ｃを固定し、もう片方の手で持ち手部２Ｂ及び３Ｂを同時に掴み回転させる。これにより、照明器具カバー１０Ｃ及び防水用パッキン１０Ｂが照明器具機能部１０Ａから分離される。よって照明器具カバー１０Ｃの取り外しが可能となる。
【００１６】
図６は、本発明の請求項３に係る該治具により照明器具カバーを取り外す状態を表す図である。
段落００１４に記載のように該治具１を照明器具機能部１０Ａに装着する。かつ、段落００１５に記載のようにもう１個の該治具１を照明器具カバー１０Ｃに装着する。
次に作業者は夫々の該治具１の持ち手部２Ｂ及び３Ｂを片手で同時に掴み照明器具１０の機能部１０Ａ及び照明器具カバー１０Ｃを逆に回動させる。有る程度のモーメントが付加した時点で固着した防水用パッキン１０Ｂは分離し回転を始める。そこで作業者は該治具１をすべて取り外し通常の方法で照明器具カバー１０Ｃを取り外すことが可能となる。
この方法によれば、段落００１４または００１５に記載した１個の該治具１を用いる場合よりも、軽い力でかつ早い照明器具カバー１０Ｃの取り外しが可能となる。
【符号の説明】
【００１７】
１      照明器具カバーの取り外し治具
２      主作業部
２Ａ    実質作業部
２Ｂ    持ち手部
３      従作業部
３Ａ    実質作業部
３Ｂ    持ち手部
４      サイズ調整用ロッド
５      養生パッキン
Ｄ      長さ調整部
Ｅ      サイズ調整用ロッド前端部
Ｆ      持ち手部開口部
Ｆ−１  楔状ストッパー
Ｇ      持ち手部開口部
Ｈ      実質作業部開口部
Ｉ      サイズ調整用ロッド後端部
Ｊ      実質作業部開口部
Ｋ      サイズ調整用ロッド係止部
１０    照明器具
１０Ａ    照明器具機能部
１０Ｂ    防水用パッキン
１０Ｃ    照明器具カバー
【図１】
2015182201.tif 000003
【図２】
2015182201.tif 000004
【図３】
2015182201.tif 000005
【図４】
2015182201.tif 000006
【図５】
2015182201.tif 000007
【図６】
2015182201.tif 000008